(57)【要約】      （修正有）【課題】クラウン、特にテーブルファセットからダイヤモンド内に進入した光がパビリオンで全反射してガードル部分からも放たれ、線状の光を観察できたり、あるいは線状の暗い領域を観察できるようなラウンドカットを施したダイヤモンド、及びそのカット方法を提供する。【解決手段】ガードルをテーブルファセット中心からキューレット面中心をとおる中心軸に対してクラウンよりも外側に０．１度以上４５度（ただし、クラウン面が前記中心軸となす角よりも小さい角度に限定）以下傾斜したガードルファセットによって構成し、テーブルファセットから入射しパビリオン側ファセットで反射した光束の全反射（つまりダイヤモンド内への再反射）をガードルにて低減させ、ガードルからの出射光をより多くしたガードルファセットを有するラウンドカットダイヤモンド。【選択図】図１０
2020073295.tif 000002
【特許請求の範囲】
【請求項１】
ガードルをテーブルファセット中心からキューレット面中心をとおる中心軸に対してクラウン最下縁よりも外側に０．１度以上４５度（ただし、クラウン面が前記中心軸となす角よりも小さい角度に限定）以下傾斜したガードルファセットによって構成し、テーブルファセットから入射しパビリオン側ファセットで反射した光束の全反射をガードルにて低減させたガードルファセットを有するラウンドカットダイヤモンド。
【請求項２】
ガードルをテーブルファセット中心からキューレット面中心をとおる中心軸に対してクラウン最下縁よりも内側に０．１度以上４５度（ただし、パビリオン面が前記中心軸となす角よりも小さい角度に限定）以下傾斜したガードルファセットによって構成し、テーブルファセットから入射しパビリオン側ファセットで反射した光束の全反射をガードルにて増加させたガードルファセットを有するラウンドカットダイヤモンド。
【請求項３】
前記ガードルファセットの幅は、キューレット面とテーブルファセット間の高さに対して０．２％以上１０％以下である請求項１又は請求項２に記載のラウンドダイヤモンド。
【請求項４】
クラウンのテーブルファセットを除く各ファセットは、テーブルファセット正面視にて前記中心軸に対して非点対称に配置され、パビリオンのキューレットを除く各ファセットは前記中心軸に対して点対称に配置される請求項１から請求項３のいずれか一に記載のラウンドカットダイヤモンド。
【請求項５】
テーブルファセットは、９角形であり、前記ガードルファセットを除くクラウンを構成するファセット数は、テーブルファセットを除いて５４面であり、パビリオンを構成するファセット数は、前記ガードルファセットを除きキューレットを面として数えないで３２面であり、ファセット総数がテーブルファセットと、ガードルファセットを含む８８面である請求項１から請求項４のいずれか一に記載のラウンドカットダイヤモンド。
【請求項６】
テーブルファセットは、９角形であり、前記ガードルファセットを除くクラウンを構成するファセット数は、テーブルファセットを除いて３６面であり、パビリオンを構成するファセット数は、前記ガードルファセットを除きキューレットを面として数えて２５面であり、ファセット総数がテーブルファセットと、ガードルファセットを含む６３面である請求項１から請求項４のいずれか一に記載のラウンドカットダイヤモンド。
【請求項７】
ガードルをテーブルファセット中心からキューレット面中心をとおる中心軸に対してクラウンよりも外側に０．１度以上４５度（ただし、クラウン面が前記中心軸となす角よりも小さい角度に限定）以下傾斜したガードルファセットによって構成し、テーブルファセットから入射しパビリオン側ファセットで反射した光束の全反射をガードルにて低減させたガードルファセットをダイヤモンド原石又は他のカットにてデザインされたダイヤモンドを研削形成するラウンドカットダイヤモンドの製造方法。
【請求項８】
ガードルをテーブルファセット中心からキューレット面中心をとおる中心軸に対してクラウンよりも内側に０．１度以上４５度（ただし、パビリオン面が前記中心軸となす角よりも小さい角度に限定）以下傾斜したガードルファセットによって構成し、テーブルファセットから入射しパビリオン側ファセットで反射した光束の全反射をガードルにて増加させたガードルファセットをダイヤモンド原石又は他のカットにてデザインされたダイヤモンドを研削形成するラウンドカットダイヤモンドの製造方法。
【請求項９】
前記ガードルファセットの幅は、キューレット面とテーブルファセット間の高さに対して０．２％以上１０％以下であるようにダイヤモンド原石又は他のカットにてデザインされたダイヤモンドを研削形成する請求項７又は請求項８に記載のラウンドカットダイヤモンドの製造方法。
【請求項１０】
クラウンのテーブルファセットを除く各ファセットは、テーブルファセット正面視にて前記中心軸に対して非点対称に配置されるようにダイヤモンド原石又は他のカットにてデザインされたダイヤモンドを研削形成する請求項７から請求項９のいずれか一に記載のラウンドカットダイヤモンドの製造方法。
【請求項１１】
テーブルファセットは、９角形であり、前記ガードルファセットを除くクラウンを構成するファセット数は、テーブルファセットを除いて５４面であり、パビリオンを構成するファセット数は、前記ガードルファセットを除きキューレットを面として数えないで３２面であり、ファセット総数がテーブルファセットと、ガードルファセットを含む８８面であるようにダイヤモンド原石又は他のカットにてデザインされたダイヤモンドを研削形成する請求項７から請求項１０のいずれか一に記載のラウンドカットダイヤモンドの製造方法。
【請求項１２】
テーブルファセットは、９角形であり、前記ガードルファセットを除くクラウンを構成するファセット数は、テーブルファセットを除いて３６面であり、パビリオンを構成するファセット数は、前記ガードルファセットを除きキューレットを面として数えて２５面であり、ファセット総数がテーブルファセットと、ガードルファセットを含む６３面であるようにダイヤモンド原石又は他のカットにてデザインされたダイヤモンドを研削形成する請求項７から請求項１０のいずれか一に記載のラウンドカットダイヤモンドの製造方法。
【発明の詳細な説明】
【技術分野】
【０００１】
本発明は、カットされたダイヤモンドであるカットダイヤモンドの製造方法及びカットダイヤモンドに関する発明である。
【背景技術】
【０００２】
従来のカットダイヤモンドは、クラウンとパビリオンの境目にあるガードルをテーブルファセットの法線方向と平行に、すなわち、ダイヤモンドを直立させたときに垂直面となるようにカットしていた。これは、ダイヤモンドカットの際にダイヤモンドを強固に固定する必要から必然的に習慣づけられた構成である。しかし、このように加工されたガードル面は光学的に非効率で、ダイヤモンドが放つ光の主要取り入れ口であるテーブルファセットからの光を効率的に活用できていなかった。
【先行技術文献】
【非特許文献】
【０００３】
【非特許文献１】https://bijoupiko.com/diamond/4c_cut/「BIJOPICO」ホームページ
【発明の概要】
【発明が解決しようとする課題】
【０００４】
クラウン、特にテーブルファセットからダイヤモンド内に進入した光がパビリオンで全反射してガードル部分からも放たれ、線状の光を観察できたり、あるいは線状の暗い領域を観察できるようなラウンドカットを施したダイヤモンド、及びそのカット方法が求められていた。
【課題を解決するための手段】
【０００５】
そのような課題を解決するために、本発明は、第一の発明として、ガードルをテーブルファセット中心からキューレット面中心をとおる中心軸に対してクラウンよりも外側に０．１度以上４５度（ただし、クラウン面が前記中心軸となす角よりも小さい角度に限定）以下傾斜したガードルファセットによって構成し、テーブルファセットから入射しパビリオン側ファセットで反射した光束の全反射（つまりダイヤモンド内への再反射）をガードルにて低減させ、ガードルからの出射光をより多くしたガードルファセットを有するラウンドカットダイヤモンドを提供する。
【０００６】
次に、第二の発明として、ガードルをテーブルファセット中心からキューレット面中心をとおる中心軸に対してクラウンよりも内側に０．１度以上４５度（ただし、パビリオン面が前記中心軸となす角よりも小さい角度に限定）以下傾斜したガードルファセットによって構成し、テーブルファセットから入射しパビリオン側ファセットで反射した光束の全反射をガードルにて増加させたガードルファセットを有するラウンドカットダイヤモンドを提供する。
【０００７】
次に、第三の発明として、前記ガードルファセットの幅は、キューレット面とテーブルファセット間の高さに対して０．２％以上１０％以下である第一の発明又は第二の発明に記載のラウンドダイヤモンドを提供する。
【０００８】
次に、第四の発明として、クラウンのテーブルファセットを除く各ファセットは、テーブルファセット正面視にて前記中心軸に対して非点対称に配置され、パビリオンのキューレットを除く各ファセットは前記中心軸に対して点対称に配置される第一の発明から第三の発明のいずれか一に記載のラウンドカットダイヤモンドを提供する。
【０００９】
次に、第五の発明として、テーブルファセットは、９角形であり、前記ガードルファセットを除くクラウンを構成するファセット数は、テーブルファセットを除いて５４面であり、パビリオンを構成するファセット数は、前記ガードルファセットを除きキューレットを面として数えないで３２面であり、ファセット総数がテーブルファセットと、ガードルファセットを含む８８面である第一の発明から第四の発明のいずれか一に記載のラウンドカットダイヤモンドを提供する。
【００１０】
次に、第六の発明として、テーブルファセットは、９角形であり、前記ガードルファセットを除くクラウンを構成するファセット数は、テーブルファセットを除いて３６面であり、パビリオンを構成するファセット数は、前記ガードルファセットを除きキューレットを面として数えて２５面であり、ファセット総数がテーブルファセットと、ガードルファセットを含む６３面である第一の発明から第四の発明のいずれか一に記載のラウンドカットダイヤモンドを提供する。
【００１１】
次に、第七の発明として、ガードルをテーブルファセット中心からキューレット面中心をとおる中心軸に対してクラウンよりも外側に０．１度以上４５度（ただし、クラウン面が前記中心軸となす角よりも小さい角度に限定）以下傾斜したガードルファセットによって構成し、テーブルファセットから入射しパビリオン側ファセットで反射した光束の全反射をガードルにて低減させたガードルファセットをダイヤモンド原石又は他のカットにてデザインされたダイヤモンドを研削形成するラウンドカットダイヤモンドの製造方法を提供する。
【００１２】
次に、第八の発明として、ガードルをテーブルファセット中心からキューレット面中心をとおる中心軸に対してクラウンよりも内側に０．１度以上４５度（ただし、パビリオン面が前記中心軸となす角よりも小さい角度に限定）以下傾斜したガードルファセットによって構成し、テーブルファセットから入射しパビリオン側ファセットで反射した光束の全反射をガードルにて増加させたガードルファセットをダイヤモンド原石又は他のカットにてデザインされたダイヤモンドを研削形成するラウンドカットダイヤモンドの製造方法を提供する。
【００１３】
次に、第九の発明として、前記ガードルファセットの幅は、キューレット面とテーブルファセット間の高さに対して０．２％以上１０％以下であるようにダイヤモンド原石又は他のカットにてデザインされたダイヤモンドを研削形成する第七の発明又は第八の発明に記載のラウンドカットダイヤモンドの製造方法を提供する。
【００１４】
次に、第十の発明として、クラウンのテーブルファセットを除く各ファセットは、テーブルファセット正面視にて前記中心軸に対して非点対称に配置されるようにダイヤモンド原石又は他のカットにてデザインされたダイヤモンドを研削形成する第七の発明又は第九の発明に記載のラウンドカットダイヤモンドの製造方法を提供する。
【００１５】
次に、第十一の発明として、テーブルファセットは、９角形であり、前記ガードルファセットを除くクラウンを構成するファセット数は、テーブルファセットを除いて５４面であり、パビリオンを構成するファセット数は、前記ガードルファセットを除きキューレットを面として数えないで３２面であり、ファセット総数がテーブルファセットと、ガードルファセットを含む８８面であるようにダイヤモンド原石又は他のカットにてデザインされたダイヤモンドを研削形成する第七の発明から第十の発明のいずれか一に記載のラウンドカットダイヤモンドの製造方法を提供する。
【００１６】
次に、第十二の発明として、テーブルファセットは、９角形であり、前記ガードルファセットを除くクラウンを構成するファセット数は、テーブルファセットを除いて３６面であり、パビリオンを構成するファセット数は、前記ガードルファセットを除きキューレットを面として数えて２５面であり、ファセット総数がテーブルファセットと、ガードルファセットを含む６３面であるようにダイヤモンド原石又は他のカットにてデザインされたダイヤモンドを研削形成する第七の発明から第十の発明のいずれか一に記載のラウンドカットダイヤモンドの製造方法。
【発明の効果】
【００１７】
本発明によって提供されるダイヤモンドは、ガードル面が中心軸に対して平行でなく角度をもってカット加工されていることから、パビリオンにて内部反射される光を従来のダイヤモンドよりもより多く出射することが可能となり、又は、パビリオンにて内部反射される光を従来のダイヤモンドよりもより少なく出射することが可能となりより、周辺のファセット、特に前者の構成ではパビリオンのファセット、後者の構成ではクラウンのファセットとの輝度差を鮮明にし、今までになかった円形線状の光輝を楽しむことが可能となった。また、ガードル面の角度を制限することによって、ダイヤモンドカット時に石を機械的に保持可能であり、指輪などの装飾に載置する際の爪などによる固定可能で、かつ傷がつきにくく、輝きに寄与させることができる。
【図面の簡単な説明】
【００１８】
【図１】理想的な５８面カットを施したダイヤモンドのカット構成を示す図
【図２】テーブルファセットに法線方向の中心軸に対するガードルファセットの傾きを示す図
【図３】テーブルファセットに法線方向の中心軸に対するファセットの傾きに応じた光の取り込み量の変動を示す図
【図４】光の反射と全反射の関係を示す図
【図５】ダイヤモンド内部での反射を示す概念図
【図６】ガードルファセットに傾きがない場合の、パビリオン側ファセットとガードルファセットに対する入射光の入射角の関係を示す図
【図７】ガードルファセットにクラウン最下縁より外側の傾斜がある場合の、パビリオン側ファセットとガードルファセットに対する入射光の入射角の関係を示す図
【図８】ガードルファセットにクラウン最下縁より内側の傾斜がある場合の、パビリオン側ファセットとガードルファセットに対する入射光の入射角の関係を示す図
【図９ａ】テーブルファセットが点対称の場合のクラウン側ファセットの反射光の例
【図９ｂ】テーブルファセットが非点対称の場合のクラウン側ファセットの反射光の例
【図１０】理想的な８８面カットを施したダイヤモンドのカット構成を示す図
【図１１】８８面カットを施したダイヤモンドの反射態様を示す実験結果写真を再現した図
【図１２】５８面カットを施したダイヤモンドの反射態様を示す実験結果写真を再現した図
【図１３】理想的な６３面カットを施したダイヤモンドのカット構成を示す図
【図１４】６３面カットを施したダイヤモンドの反射態様を示す実験結果写真を再現した図
【図１５】従来のカットダイヤモンドと、実施形態５及び実施形態６のカットダイヤモンドの輝きの外見上の強さの比較を行ったアンケート結果を示す表
【図１６】従来のカットダイヤモンドと、実施形態５及び実施形態６のカットダイヤモンドのデザインの外見上の好みの比較を行ったアンケート結果を示す表
【００１９】
以下、本発明実施形態について、図を用いて説明する。以下の説明は、実施形態１は請求項１及び請求項１に、実施形態２は請求項２に、実施形態３は請求項３に、実施形態４は請求項４に、実施形態５は請求項５に、実施形態６は請求項６に、実施形態７は請求項７に、実施形態８は請求項８に、実施形態９は請求項９に、実施形態１０は請求項１０に、実施形態１１は請求項１１に、実施形態１２は請求項１２に、それぞれ対応する。なお、本発明の内容は、以下の実施例にのみ限定されるものではなく、本発明の要旨を逸脱しない範囲内において、種々変更を加え得る。
【００２０】
＜実施形態１＞
＜実施形態１  発明の概要＞
本実施形態における発明は、ガードルをテーブルファセット中心からキューレット面中心をとおる中心軸に対してクラウンよりも外側に０．１度以上４５度（ただし、クラウン面が前記中心軸となす角よりも小さい角度に限定）以下傾斜したガードルファセットによって構成し、テーブルファセットから入射しパビリオン側ファセットで反射した光束の全反射をガードルにて低減させたガードルファセットを有するラウンドカットダイヤモンドである。
【００２１】
＜実施形態１  発明の構成＞
図１に示すように、本実施形態におけるラウンドカットダイヤモンドのファセット（従来は、原石に研削加工することで創り出されるダイヤモンドの鑑賞可能平面のことを言うが、本願では、ダイヤモンドの鑑賞可能面をいい、ガードルファセットに代表される曲面も含まれる。）は、最も大きな面であるテーブルファセット（０１０１）を含むガードルより上の領域をクラウン（０１０２）と呼び、ガードルより下をパビリオン（０１０３）という。
本願発明のダイヤモンドの光出射面は、クラウンにあるテーブルファセット、クラウンにあるテーブルファセット以外のクラウン側ファセット（０１０４）と、従来は光出射面として活用されていなかったガードルファセット（０１０５）、パビリオン側では、最下部にあるキューレット（面取りされている場合のみ。面取りされている場合とそうでない場合がある）（０１０６）、キューレットを除いたパビリオン側ファセット（０１０７）がある。本実施形態におけるラウンドカットダイヤモンドの特徴点は、ガードルをテーブルファセット中心からキューレット面中心をとおる中心軸に対してクラウン最下縁（０１０８）よりも外側に０．１度以上４５度（ただし、クラウン面が前記中心軸となす角よりも小さい角度に限定）以下傾斜したガードルファセットによって構成し、テーブルファセットから入射しパビリオン側ファセットで反射した光束の全反射をガードルにて低減させたガードルファセットを有する。
【００２２】
「ラウンドカット」とは、ダイヤモンドの代表的なカッティングで、カットされたダイヤモンドを上から見ればその輪郭は円形で、横から見るとパビリオンの逆三角の上にクラウンの台形が乗った形となり、そこにたくさんの平面が切り取られているカッティングのことを指す。最も一般的なラウンドカットの種類は、ラウンドブリリアントカットである。本発明はラウンドカットであり、基本的にテーブルファセットの中心点とキューレットの中心点とを結ぶ線はテーブルファセット法線に平行な線となる。
【００２３】
図２は、中心軸に対するガードルファセットの傾斜の測定の仕方を示している。図２ａは、ガードルファセットがクラウンからせり出している場合の中心軸（Ｃ−Ｃ）と平行な直線（Ｃ'−Ｃ'）に対するガードルファセットの傾き（θ１）を示している。θ１は、中心軸に対してクラウン最下縁より外側に０度から９０度の範囲の角度であり、本実施形態においては０．１度以上３０度以下となる。
【００２４】
ダイヤモンドのクラウン側のいずれのファセットに対しても散乱光が一様に入射すると仮定すると（この仮定は一般的なダイヤモンドの着用状態ではおおよそ正しい）ダイヤモンドのいずれのファセットから出射する光も一様な散乱光となって出射する。これは、ダイヤモンドを指輪に載置した状態で着用している場合にはパビリオン側が指輪を構成する金属環や、指の肌面側となるために入射光が相対的に小さいか偏るが、クラウン側は一般に光を遮光するものがそう多くはないので一様に光が入射すると考えられるからである。クラウン側に入射した光はパビリオン側で反射されるのでクラウン側ファセットから出射する光は、そのファセットの重心位置の法線方向で代表される（観察時に最も輝度が高いラインとなる：以下「代表光」という）。なお最も入射光が多いクラウン側ファセットはテーブルファセットである。
【００２５】
図３に示すように、光の取り込み量は中心軸に対してファセットの傾きが９０度に近づくほど（すなわち、テーブルファセットと平行に近づくほど）、光の取り込み量が増す。このことは、一般に太陽光が頭上からまんべんなく放射されること、あるいは、室内では一般に照明器具が頭上に配置されていることを想定したものである。つまり、ダイヤモンドに入射する光束の光束密度は、一般に前記中心軸方向が最大とみなされる。０度の軸に対して、右側の領域が、ガードルファセットがクラウン最下縁より外側にせり出す場合を示す。ガードルファセットがクラウン最下縁より外側にせり出す場合の光の取り込み量は、図３で示すところの、右側に０度から９０度の変化に合わせて増減する。
【００２６】
図４に示すように、光が、大きい屈折率ｎ２の光学的に密な媒質２から、小さい屈折率ｎ１の光学的に疎な媒質１に入社する時は、入射角ｉより屈折角ｒの方が大きいから、入射角のある値に対して屈折角が９０°となることがある。このときの入射角をｉ０とすると、屈折の法則
ｎ・sinθ＝Ａ（一定の数値）
より、    
ｎ２sinｉ０＝ｎ１sin90°
との関係が成り立つ。
したがって、
sinｉ０＝ｎ１／ｎ２
と表すことができる。
媒質１が真空の時は、
sinｉ０＝１／ｎ２
となる。
入射角がｉ０より大きいときは、屈折光線は全くなく、反射光線だけとなる。この現象を、「全反射」といい、全反射を起こす入射角ｉ０を媒質１に対する媒質２の「臨界角」という。
【００２７】
ダイヤモンドにおいては、光学的に疎な媒質１が空気であり、光学的に密な媒質２がダイヤモンドとなる。したがって、空気中からダイヤモンドの中に光を取り込む際には、全反射の減少は起きないが、ダイヤモンドの中かから空気中に光を出射する際に、全反射を起こさせることが可能となる。実現は現実的にできないが、ダイヤモンドを評価する際に理想的なカットを施したダイヤモンドを基準として評価する場合がある。この理想的なカットを施したダイヤモンドの反射特性はテーブルファセットを含むクラウン側から入射した光を、パビリオン側から出射させることがないように、パビリオンの内部で全反射を繰り返し起こして（あるいは一度だけでも構わない）、取り込まれた全ての光がクラウン側から出射されるように想定してある。すなわち、どのような角度でクラウン側から光が取り込まれようとも、パビリオンの面への入射角が空気に対するダイヤモンドの臨界角よりも大きくなるようにテーブル面に法線方向の中心軸に対するダイヤモンド全体のファセットの傾斜を構成するということである。
【００２８】
ダイヤモンドの臨界角は、２４．４°であり、クラウン側及びガードルファセット（図５中ｇで示す領域）からダイヤモンド内に取り込んだ光がパビリオンのいずれかのファセットに反射する時の入射角が２４．４°以下である場合に、全反射が起きる。図５は、ダイヤモンド内部での反射の概念図である。θａ、θｂ、θｃ、θｄは、いずれもクラウン側から取り込まれた光のパビリオンのファセットに対する入射角である。θａ、θｂ、θｃは、いずれも空気に対するダイヤモンドの臨界角２４．４°よりも鈍角であることから、全反射が起きている。全反射する時の反射角は、入射角と等しくなる。一方θｄは、２４．４°よりも鋭角であることから、全反射が起きずに、ダイヤモンドから空気中に光が出射されている。
【００２９】
ガードルファセットは、輪切りされた円錐側面である。図６は、ガードルファセット図中ｇで示す領域）に傾きがない場合（すなわち、中心軸に対して傾斜が０度である）の反射図である。パビリオン側ファセットのからの反射光が、ガードルファセットの中心に入射した時に、全反射するパビリオン側ファセットの領域と、出射するパビリオン側ファセットの領域を示している。キューレットに最も近いパビリオン側ファセットからガードルの中心に反射光（以下、最大入射角反射光という。）が入射する際に、入射角が最大となる。空気に対するダイヤモンドの臨界角２４．４度よりも小さい入射角でパビリオンファセットからガードルファセットの中心に入射する光（以下、限界入射角反射光という。）よりも鋭角で入射する領域が、出射領域となる。図７は、ガードルファセット（図中ｇで示す領域）にクラウン最下縁より外向きの傾斜がある場合（すなわち、中心軸に対して傾斜が外側に０．１度から４５度である。）を示す図である。図に示すように、最大入射角反射光と限界入射角反射光が一致している。このことから、ガードルファセットがクラウン最下縁より外側の傾斜の場合には、最大入射角反射光に接近するように限界入射角反射光がずれることが認められる。そして、ガードルファセットの垂線に対して、右方向と左方向の両方向に臨界角は存在することから、図では出射領域がパビリオンファセット全体に広がる。このことから、ガードルファセットがクラウン最下縁より外側の傾斜の場合には、反射領域が減退して出射領域が拡張することになる。出射領域が拡張していることから、ガードルファセットから出射する光の量が増加する。このため、傾斜のないガードルを有するラウンドカットダイヤモンドと比較して、本実施形態におけるラウンドカットダイヤモンドのガードルファセットは、冠状にくっきりと光ることになる。このため、従来のダイヤモンドでは見られなかった方向に輝きをましたダイヤモンドとなる。
【００３０】
ガードルファセットは、ダイヤモンド鉱石やすでにカットされているカットダイヤモンドに対して、カット加工するさいに、ダイヤモンド鉱石やすでにカットされているカットダイヤモンドを固定するための固定具を固定するための部分でもある。固定具を固定するためには従来からのガードルのようにテーブルファセット法線に平行な面を有するガードルを研削加工する。したがって、ダイヤモンド鉱石やすでにカットされているカットダイヤモンドをカットする時には、まず前記ガードルでダイヤモンドを把持してクラウン側ファセット又は／及びパビリオン側ファセットの加工を済ませてから、ガードルファセット（テーブルファセット法線と非平行の面を有するもの）の加工を行う作業手順となることが好ましい。特に、早くても、クラウンファセットが終わってからガードルファセットの加工を行うようにすることが望まれる。クラウン側ファセットのテーブルファセット法線に平行な線となす鋭角側の角度は、５３．５度から５８．５度程度が一般に（本発明においても）好ましいが、鋭角側の角度５８．５度よりも大きくてもよい。例えば５８．５度以上７５度以下、さらに好ましくは６３度プラスマイナス１度程度が良いことがわかっている。このように、このクラウン側ファセットの角度を大きくしてゆくとクラウン側ファセットから入射する光の取込量が増える上に、さらに光束がテーブルファセットから出射する量が増えてゆく。またパビリオン側ファセットのテーブルファセット法線方向となす鋭角側の角度は、一般に（本発明においても）４８．２度から４９．４度程度が好ましい。この角度はテーブルファセットから入射した光束がパビリオン側ファセットで全反射して、再びクラウン側ファセット及びテーブルファセットから出射するのに適した角度である。またカットされたダイヤモンドの上方視でテーブルファセットの面積と、クラウン側ファセットの面積との比率は、５２％から６２％：３８％から４８％が適しているが、クラウン側ファセットのテーブルファセット法線に平行な線となす鋭角側の角度が大きい場合、例えば前記鋭角側の角度が５８．５度よりも大きい場合には、パビリオン側ファセットで全反射可能な光束の入射量が増加するためにテーブルファセットの占める前記比率は、５２％よりも少なくてもよい。例えば、２５％から５２％程度でも良い。この場合には、ダイヤモンドから出射される光は各ファセットの重心位置からの法線方向に代表される物であるので、略同一方向にきらめきが集中するようにダイヤモンドが構成される結果となる。
【００３１】
＜実施形態２＞
＜実施形態２  発明の概要＞
本実施系における発明は、ガードルをテーブルファセット中心からキューレット面中心をとおる中心軸に対してクラウン最下縁よりも内側に０．１度以上４５度（ただし、パビリオン面が前記中心軸となす角よりも小さい角度に限定）以下傾斜したガードルファセットによって構成し、テーブルファセットから入射しパビリオン側ファセットで反射した光束の全反射をガードルにて増加させたガードルファセットを有するラウンドカットダイヤモンドである。
【００３２】
＜実施形態２  発明の構成＞
本実施形態におけるラウンドカットダイヤモンドは、ガードルをテーブルファセット中心からキューレット面中心をとおる中心軸に対してクラウンよりも内側に０．１度以上４５度（ただし、パビリオン面が前記中心軸となす角よりも小さい角度に限定）以下傾斜したガードルファセットによって構成し、テーブルファセットから入射しパビリオン側ファセットで反射した光束の全反射をガードルにて増加させたガードルファセットを有する。実施形態１との共通の構成については説明を省略し、本実施形態に特徴的な構成についてのみ説明をする。
【００３３】
図２ｂは、ガードルファセットがクラウンの内側に凹んでいる場合の中心軸（Ｃ−Ｃ）と平行な直線（Ｃ'−Ｃ'）に対するガードルファセットの傾き（θ２）を示している。−θ１は、中心軸に対して内側に０度から９０度の範囲の角度であり、本実施形態においてはクラウン最下縁より内側に０．１度以上３０度以下となる。
【００３４】
図３に示す、０度の軸に対して左側の領域が、ガードルファセットがクラウン最下縁より内側に凹む場合を指す。ガードルファセットがクラウンより凹む場合の光の取り込み量は、図３で示すところの、左側に０度から９０度の変化に合わせて増減する。本実施形態では、ガードルファセットの角度は、図３で示すところの、左右両方向について０．１度から３０度の間の光の取り込み量となる。
【００３５】
図８は、ガードルファセット（図中ｇで示す領域）がクラウン最下縁より内側に傾いている場合（すなわち、中心軸に対し傾斜が内側に０．１度から４５度である。）を示す図である。図に示すように、限界入射角反射光は、パビリオン側ファセットとガードルファセットの境界からの反射光とる。このことから、ガードルファセットの傾きがクラウン最下縁より内側になる場合には、図６に示すガードルファセットに傾きのない従来のダイヤモンドと比較して、最大入射角反射光と限界入射核反射光の距離は広がる。限界入射角反射光がパビリオン側ファセットとガードルファセットの接点方向に近づいて行くことから、パビリオン側ファセットの反射領域が拡張し、出射領域が減退する。従来のダイヤモンドと比較して、出射領域が減退することから、ガードルファセットから光が出射される量が減少し、ダイヤモンド内での乱反射回数が増す。このため、ガードルファセットに傾斜がない従来のダイヤモンドと比較して、クラウン側ファセットとガードル（ファセット）とのコントラストが明確になり、出射面の輝きがより強調される。したがって、従来のダイヤモンドと比較して、観察者からより美しいダイヤモンドとして評価される。
【００３６】
＜実施形態３＞
＜実施形態３  発明の概要＞
本実施形態における発明は、実施形態１又は実施形態２の特徴に加えて、ガードルファセットの幅がキューレット面とテーブルファセット間の高さに対する割合として、０．２％以上１０．０％以下に限定されたダイヤモンドである。
【００３７】
＜実施形態３  構成の説明＞
本実施形態におけるダイヤモンドは、実施形態１又は実施形態２に記載の構成に加えて、前記ガードルファセットの幅は、キューレットとテーブルファセット間の高さに対して０．２％以上１０％以下である。図３に示すように、各ファセットの光の取り込み量は、ダイヤモンドのテーブルファセットを天に向けた状態でファセットが中心軸に対して９０度、すなわちテーブルファセットと平行に近い程多くなる。ダイヤモンドは、宝石店の店頭で陳列展示される場合、たいていテーブルファセットを天に向けて陳列展示され、この状態で天側、すなわち天井からの証明が注がれる。また、人がダイヤモンドの指輪を身に着ける場合、指に装着したダイヤモンドが人目につくのは、手指が上半身に持ち上げられた場合であるが、多くの姿勢で指にしたダイヤモンドのテーブルファセットが天を向くこととなる。例えば手に物をとっている状態、テーブルに手を置いた状態、相手と握手をする直前の状態、ナイフやフォークを手に取って食事をする状態など、多くの場合でテーブルファセットが天を向く。従ってテーブルファセットが天に向いた状態でダイヤモンドの輝きが最善となるようにダイヤモンドカットをすることが好ましい。とすると、ダイヤモンドの側面に位置するガードルファセットはそもそも光の取り込み量が少ない部位である。したがって、ダイヤモンド全体に対してガードルファセットが占める割合が増えると、それだけ光の取り込み量が少なくなることになる。したがって、ガードルファセットの幅は、キューレットとテーブルファセット間の高さに対して１０％以下であることが好ましい。一方で、横方向に対する輝きは横方向のファセットであるガードルファセットがもっともよく出射することから、一定程度の幅はあったほうがよい。さもないと線状光跡を視認しがたくなるからである。したがって、ガードルファセットの幅は、キューレットとテーブルファセット間の高さに対して０．２％以上であることが好ましい。
【００３８】
＜実施形態４＞
＜実施形態４  発明の概要＞
本実施形態における発明は、実施形態１から実施形態３までの特徴に加えて、クラウンにあるテーブルファセットを除く各ファセットは、テーブルファセット正面視にて前記中心軸に対して非点対称に配置され、パビリオンのキューレットを除く各ファセットは前記中心軸に対して点対称に配置されていることを特徴とする。
【００３９】
＜実施形態４  発明の構成＞
本実施形態における発明は、実施形態１から実施形態３に記載の構成に加えて、クラウンのテーブルファセットを除く各ファセットは、テーブルファセット正面視にて前記中心軸に対して非点対称に配置され、パビリオンのキューレットを除く各ファセットは前記中心軸に対して点対称に配置される。一般的なダイヤモンドは、テーブルファセットとキューレットの中心を通る中心軸に対してクラウンのファセットが点対称となるように構成されている。本実施形態における構成は、実施形態１から実施形態３のいずれか一の構成に従属せず、独立の構成であってもよい。
【００４０】
図９ａに示すように、前記代表光が点対称のクラウン側ファセットから出射される場合には、図９ｂに示すように非点対称のクラウン側ファセットから出射される場合に比較して代表光が重畳する割合が高くなり、輝度に関しては同様であっても、きらめき（代表光の視認線数、視認点数で表すことができる）は後者、すなわちクラウン側ファセットが前記中心軸に対して非点対称に配置されている場合の方が大きく（多く）なる。輝度の総計値が同様であれば、このきらめきが大きい（多い）方が観察者が感じる美観の程度は高くなる。
【００４１】
さらに、クラウン側が非点対称であるのに対してパビリオン側は点対称である。パビリオン側は主にクラウン側から入射した光を略全反射する役割を果たすので、観察者が鑑賞するために寄与する割合は低い。一方、ダイヤモンドのカットは熟練の技能を必要とし、非点対称にファセットをカットすることは困難である。そこで、入射光をダイヤモンド内で反射させる機能には点対称であるか非点対称であるかは問題にならないので、カットしやすい点対称とするほうが製造上有利である。カット工程を熟練度の高い作業者の担当工程と、熟練度ではそれに劣る作業者の担当工程とに分けて、前者はクラウン側の作業、後者はパビリオン側の作業に充てるとよい。なお、点対称パビリオンの工程の方が容易なので、クラウンカット工程の前にパビリオンカット工程を配するのが好ましい。またダイヤモンドのパビリオンもバランスを見ながらカットされるので、場合により、パビリオン→クラウン→パビリオン→クラウン、・・・のようにパビリオン先行で作業を進めることも考えられる。
【００４２】
＜実施形態５＞
＜実施形態５  発明の概要＞
本実施形態における発明は、実施形態１から実施形態４に記載の特徴に加えて、ラウンドカットで施すカット面数の数をクラウン５５面、パビリオン３３面の総面数８８面と特定することを特徴とする。
【００４３】
＜実施形態５  発明の構成＞
図１０は、本実施形態におけるラウンドカットダイヤモンドの理想的なカットの一例を示す図である。図に示すように、本実施形態におけるラウンドカットダイヤモンドは、実施形態１から実施形態４のいずれかに記載の構成に加えて、テーブルファセット（１００１）は、９角形であり、前記ガードルファセットを除くクラウン（１００２）を構成するファセット数は、テーブルファセットを除いて５４面であり、パビリオン（１００３）を構成するファセット数は、前記ガードルファセットを除きキューレットを面として数えないで３２面であり、ファセット総数がテーブルファセットと、ガードルファセットを含む８８面である。なお、キューレットが面を形成していても出射光を鑑賞できないので面としては数えない。
【００４４】
クラウン側に形成されるファセット数が５５面、パビリオン側に形成されるファセット数が３３面であれば、ファセットの形状や、ファセットの角度については限定しなくてもよい。しかし、ダイヤモンドの輝きを最も美しく魅せるためには、均一に光が反射されることが望ましい。したがって、各ファセットは規則正しく配置されていることが好ましい。すなわち、例えば、クラウン側ファセットについては、テーブルファセットを起点としたときに、テーブルファセットの辺と辺で接するファセットはいずれも同一の形状、同一の大きさ、同一の斜角によって構成されており、テーブルファセットと頂点のみで接するファセットは、いずれも同一の形状、同一の大きさ、同一の斜角によって構成されており、というように、テーブルファセットとの関係で同一の条件を満たすファセット同士は全て同一の形状、同一の大きさ、同一の斜角によって構成されていることが最も望ましい。テーブルファセットとの関係で条件を異ならせるファセット同士は、同一の形状、同一の大きさ、同一の斜角によって構成されている必要はない。また、パビリオン側ファセットについては、キューレット面を起点としたときに、キューレット面との関係で同一の条件を満たすファセット同士は全て同一の形状、同一の大きさ、同一の斜角によって構成されていることが最も望ましい。
【００４５】
さらに、本実施形態におけるラウンドカットのカット構成を平面で表現すると、図１０に示すような構成であることが望ましい。クラウンのファセットについては、図１０の上部の図に示すように、テーブルファセットを構成する９角形の一辺を自身の１片とする三角形の第一ファセット（１００４）９個と、テーブルファセットを構成する９角形の頂点を自身の頂点として、その他の部分ではテーブルファセットと接触しない四角形の第二ファセット（１００５）９個と、前記第一ファセットと前記第一ファセットの１つの頂点とのみで接触する四角形の第三ファセット（１００６）９個と、前記第三ファセットの一辺を自身の一辺とする四角形の第四ファセット（１００７）１８個と、ある第四ファセットの一辺と別の第四ファセットの一辺を自身の辺とする三角形の第五ファセット（１００８）９個とから構成されている。そして、テーブルファセットの９角形のある頂点から前記中心軸と交わるように直線を引いた場合に、その直線が第一から第五までの全てのファセットの頂点を通過するように構成されていることが理想的な構成である。そのような構成になる一例として、テーブルファセットの９角形の頂点から中心軸を通過するように引いた直線に対して２０度の角度で、中心軸を通過するように引いた直線が、テーブルファセットと第一から第五ファセットの全てのファセットについて頂点を通過するように構成されている場合があげられる。
【００４６】
パビリオンのファセットについては、図１０の底部の図に示すように、キューレットを通過する直線（１００９）を起点として、起点とした直線と２２．５度の間隔をあけたもう一本のキューレットを通過する補助直線（１０１０）を引き、補助直線を３分割して、補助線の分割ポイントを、キューレットに近い方から順に第一分割ポイント（１０１１）、第二分割ポイント（１０１２）として、第一文分割ポイントと、第一分割ポイントからの距離が短い方の、起点となる直線の終点を結ぶ第一連結線（１０１３）とを引き、第二分割ポイントから、第一連結線と平行となる線を起点となる直線にむかって引き（１０１４）、次は補助線を起点とする直線とした場合にも同様の形態を繰り返すことで、構成されている。
【００４７】
図１１は、本実施形態における８８面のラウンドカットダイヤモンドにレーザーを照射する照射実験をした際の光の反射を示す実験結果写真を再現した図である。図１２は、従来からの５８面（キューレットを面として数えている）のラウンドカットダイヤモンドにレーザーを照射する照射実験をした際の光の反射を示す実験結果写真を再現した図である。図１１と図１２を比較すると明らかなように、図１１で反射される光の光線の本数が相対的に多い。反射光線の本数は、すなわちダイヤモンドの輝きの量である。したがって、図１１に示すように相対的に反射光線の本数が多い８８面のラウンドカットダイヤモンドの方が、５８面カットに比べてより輝きが多いと言える。
【００４８】
図１５は、従来のカットのダイヤモンド、実施形態５、実施形態６のダイヤモンドを同時に見せた時に、輝きが強い順に１、２、３として、順を記載するアンケートを実施した結果である。表に示すように、従来のカットのダイヤモンドと実施形態５のダイヤモンドの輝きを比較すると、アンケートに応じた全ての人が、実施形態５の輝きが強いと答えている。このように、観察者の視覚から見て、従来のカットのダイヤモンドよりも実施形態５のダイヤモンドの輝きが増すことが認められる。
【００４９】
図１６は、従来のダイヤモンド、実施形態５、実施形態６のダイヤモンドを同時に見せた時の好みのデザインを好みの順に１、２、３として記載するアンケートを実施した結果である。表に示すように、従来のカットのダイヤモンドと実施形態５のダイヤモンドの外見上の好みを比較すると、アンケートに応じた全ての人が、実施形態５のデザインの方が従来のダイヤ紋よりも外見上美しいと判断していることが認められる。
【００５０】
＜ダイヤモンドの価値評価基準について＞
ここで、ダイヤモンドの価値評価基準について説明する。ダイヤに鑑定書が付く基準は、いわゆる４Ｃと呼ばれる基準を満たすものだけというのが、現状の取り扱いである。４Ｃとは、クラリティ、カラー、カット、カラット重量である。この四つの要素の各段階にポイントが定められていて、各要素のポイントを合計することで、ダイヤモンド全体の価値として評価している。したがって、それぞれの要素を複合的に判断することで、ダイヤモンドの価値が定められている。
【００５１】
「クラリティ」とは、ダイヤモンドの透明度のことである。透明度は、天然のダイヤモンドが持つ、インクルージョン（内包物）とばれる内部特徴と、ブレミッシュ（傷）と呼ばれる表面上の特徴が相対的にどの程度少ないかによって評価される。ブレミッシュにはダイヤモンドの表面の擦り傷や欠けも含まれる。クラリティ特徴は天然ダイヤモンドか人工ダイヤモンドかの区別に役立つことに加えて、全く同じ場所に全く同じインクルージョンを持つダイヤモンドは二つと無いので、あるダイヤモンドが過去に鑑定されたダイヤモンドと同一のダイヤモンド、と同一のものであるかを判断する際に目印として利用することができる。最高評価の判定をされるダイヤモンドは、熟練した経験のある鑑定者が１０倍の拡大下で観察した際に、目に見えるインクルージョンあるいはブレミッシュがないものである。価値を決定する他のすべての要因が等しい場合、クラリティが高くなると、カラットあたりのダイヤモンドの価格も上昇する。クラリティの評価は、インクルージョンやブレミッシュの、大きさ、数、位置、性質、色、レリーフ（輪郭、見え易さ）を総合的に評価して判断される。各要因の相対的な重要性は、ダイヤモンドごとに異なる。例えば、インクルージョンが石の側面に逸れていると、テーブルの直下に同じサイズのインクルージョンがある場合よりもクラリティに与える影響が低いと考えられている。このような場合、その位置が評価の決定要因となっているといえる。
【００５２】
「カラー」とは、ダイヤモンドの色のことである。色の微妙な違いが、ダイヤモンドの価値に大きな影響を与えることがあり、クラリティ、重量、カットが同等の二つのダイヤモンドが、カラーの要素のみで価値が異なることがある。ダイヤモンドには様々な色があります。 無色から淡黄色、淡褐色のダイヤモンドは、通常の色範囲と言われる。通常の色範囲においては、ダイヤモンドが無色に近くなるほど、価値が高くなる。また、多くのダイヤモンドは紫外線を照射すると蛍光と呼ばれる可視光を反射する。蛍光には、青色、白色、黄色、橙色等がある。蛍光が強すぎると石の見た目が曇って見えることがあり、これは「オイリー」と呼ばれ、ダイヤモンドの価値を下げる。
【００５３】
「カット」とは、ダイヤのプロポーション（形と仕上げ）の評価である。カットは、ダイヤモンドの輝きに深く関わる。ダイヤモンドに入り込んだ光はダイヤモンドの優れた屈折率と、その屈折率から決定される理想プロポーションによって、より輝くダイヤモンドとなる。ダイヤモンド内部の光道を妨げるような大きなキズや内包物が無い限り、カットが優れている場合には、より輝くことになる。
【００５４】
「カラット」とは、宝石の重量の単位（ｃｔ）のことであり、大きさではなくダイヤモンドの重量を示す。１カラットは、２００グラムと決まっている。
【００５５】
上記の表か基準に示すように、ダイヤモンドの価値を決める要素の中で、人の技術によって差異を持たせることが可能なのは、カットの分野のみである。したがって、より価値の高いダイヤモンドにするためには、ダイヤモンドの輝きをより際立たせることが可能なカットを施すことが好ましい。本実施形態における８８面カットは、従来の５８面カットに比べて輝きが増しており、よりダイヤモンドとしての価値を高めることが可能である。
【００５６】
＜実施形態６＞
＜実施形態６  発明の概要＞
本実施形態における発明は、実施形態１から実施形態４に記載の特徴に加えて、ラウンドカットで施すカット面数の数をクラウン３７面、パビリオン２６面、総面数６３面と特定することを特徴とする。
【００５７】
＜実施形態６  発明の構成＞
図１３は、本実施形態におけるラウンドカットダイヤモンドの理想的なカットの一例を示す図である。図に示すように、本実施形態におけるラウンドカットダイヤモンドは、実施形態１から実施形態４のいずれかに記載の構成に加えて、テーブルファセット（１３０１）は、９角形であり、前記ガードルファセットを除くクラウン（１３０２）を構成するファセット数は、テーブルファセットを除いて３６面であり、パビリオン（１３０３）を構成するファセット数は、前記ガードルファセットを除き、キューレットを面として数えて２５面であり、ファセット総数がテーブルファセットと、ガードルファセットを含む６３面である。なお、キューレットを面として数えない場合には６２面である。
【００５８】
本実施形態におけるランドカットダイヤモンドについても、クラウンに形成されるファセット数が３７面、パビリオンに形成されるファセット数がキューレットを面として数えて２５面であれば、ファセットの形状や、ファセットの角度については限定していない。さらに、テーブルファセット又はキューレット面との関係で同一の条件を満たすファセット同士が同一の形状、同一の大きさ、同一の斜角である場合が、最も美しい輝きとなることも、先述の８８面カットのダイヤモンドと同一である。
【００５９】
さらに、本実施形態におけるラウンドカットのカット構成を平面で表現すると、図１３に示すような構成であることが望ましい。クラウンのファセットについては、図１３の上部の図に示すように、テーブルファセットを構成する９角形の一辺を自身の１片とする三角形の第一ファセット（１３０４）９個と、テーブルファセットを構成する９角形の頂点を自身の頂点として、その他の部分ではテーブルファセットと接触しない四角形の第二ファセット（１３０５）９個と、前記第二ファセットの一辺を自身の一辺とする三角形の第三ファセット（１３０６）１８個とから構成されている。そして、テーブルファセットの９角形のある頂点から前記中心軸と交わるように直線を引いた場合に、その直線が第一から第三までの全てのファセットの頂点を通過するように構成されていることが理想的な構成である。そのような構成になる一例として、テーブルファセットの９角形の頂点から中心軸を通過するように引いた直線に対して２０度の角度で、中心軸を通過するように引いた直線が、テーブルファセットと第一から第三ファセットの全てのファセットについて頂点を通過するように構成されている場合があげられる。
【００６０】
パビリオンのファセットについては、図１３の底部の図に示すように、キューレットを通過する直線（１３０７）を起点として、起点とした直線と２２．５度の間隔をあけたもう一本のキューレットを通過する補助直線（１３０８）を引き、補助直線を２分割して、補助線の分割ポイント（１３０９）分割ポイントからの距離が短い方の、起点となる直線の終点を結ぶ連結線（１３１０）とを引き、次は補助線を起点とする直線とした場合にも同様の形態を繰り返すことで、構成されている。
【００６１】
図１４は、本実施形態における６３面のラウンドカットダイヤモンドにレーザーを照射する照射実験をした際の光の反射を示す実験結果写真を再現した図である。図１２は、前述のように、５８面のラウンドカットダイヤモンドにレーザーを照射する照射実験をした際の光の反射を示す図である。図１４と図１２を比較すると明らかなように、図１４で反射される光の光線の本数が相対的に多い。反射光線の本数は、すなわちダイヤモンドの輝きの量である。したがって、図１４に示すように相対的に反射光線の本数が多い６３面のラウンドカットダイヤモンドの方が、５８面カットに比べてより輝きが多いと言える。前述のように、カット以外の条件が同一のダイヤモンドにおいては、輝きがより強い方が価値が高いと考えられており、本実施形態における６３面カットは、従来の５８面カットに比べて輝きが増しており、よりダイヤモンドとしての価値を高めることが可能である。
【００６２】
図１５に示すように、従来のカットのダイヤモンドと実施形態６のダイヤモンドの輝きを比較すると、アンケートに応じた全ての人が、実施形態６の輝きが強いと答えている。このように、観察者の視覚から見て、従来のカットのダイヤモンドよりも請求項６のダイヤモンドの輝きが増すことが認められる。
【００６３】
図１６に示すように、従来のカットのダイヤモンドと実施形態６のダイヤモンドの外見上の好みを比較すると、アンケートに応じた全ての人が、実施形態６のデザインの方が従来のダイヤ紋よりも外見上美しいと判断していることが認められる。
【００６４】
＜実施形態７＞
＜実施形態７  発明の概要＞
ガードルをテーブルファセット中心からキューレット面中心をとおる中心軸に対してクラウンよりも外側に０．１度以上４５度（ただし、クラウン面が前記中心軸となす角よりも小さい角度に限定）以下傾斜したガードルファセットによって構成し、テーブルファセットから入射しパビリオン側ファセットで反射した光束の全反射をガードルにて低減させたガードルファセットをダイヤモンド原石又は他のカットにてデザインされたダイヤモンドを研削形成するラウンドカットダイヤモンドの製造方法である。
【００６５】
＜実施形態７  発明の構成＞
本実施形態における発明はガードルをテーブルファセット中心からキューレット面中心をとおる中心軸に対してクラウンよりも外側に０．１度以上４５度（ただし、クラウン面が前記中心軸となす角よりも小さい角度に限定）以下傾斜したガードルファセットによって構成し、テーブルファセットから入射しパビリオン側ファセットで反射した光束の全反射をガードルにて低減させたガードルファセットをダイヤモンド原石又は他のカットにてデザインされたダイヤモンドを研削形成する。
【００６６】
＜実施形態７  構成の説明＞
「研削形成」とは、ダイヤモンド原石又は既に他のカットを施されているダイヤモンドを削除（カット）又は／及び研磨することで、削除面を滑らかにするとともに、削除面の形状を整え、隣接する削除面同士の境目を際立たせることをいう。
【００６７】
具体的には、「劈開」を使ったカット方法である「クリービング」、「原石の内部で、最も柔らかい六面体面と、次に柔らかい十二体面とに沿ってダイヤモンドパウダーを使い切断する「ソーイング」などのカットを行う。その後、研磨して仕上げる工程を行う。大きく分けて２工程で行う。カット工程は専用器械を使ってより正確に行われるようになってきている。さらにブルーティング（胴削り）してガードルを決め、仕上げ後のダイヤモンドの最大横幅をこの段階で決める。そしてテーブルをソーイングして切り出すと、そこから個々の面を仕上げるファセッティングの作業に入る。粗くファセッティングした後は仕上げのポリッシュ研磨を行う。この段階で最後の角度調整や研磨面の調整などが細かにおこなってダイヤモンドが完成に近づく。
【００６８】
あるいは、古いカット済みのダイヤモンドを再成型する場合があり、この場合には削除のみ、又は研磨のみによって、面の形状を整え、隣接する削除面同士の境目を際立たせる場合もある。研削形成に用いられる器具は、ダイヤモンド砥石でもよいし、レーザー（原石の大まかなカット）でもよいし、ダイヤモンドを削除、研磨する能力を有する器具であればその種類は限定しない。
【００６９】
＜実施形態８＞
＜実施形態８  発明の概要＞
本実施形態における発明は、ガードルをテーブルファセット中心からキューレット面中心をとおる中心軸に対してクラウンよりも内側に０．１度以上４５度（ただし、パビリオン面が前記中心軸となす角よりも小さい角度に限定）以下傾斜したガードルファセットによって構成し、テーブルファセットから入射しパビリオン側ファセットで反射した光束の全反射をガードルにて増加させたガードルファセットをダイヤモンド原石又は他のカットにてデザインされたダイヤモンドを研削形成するラウンドカットダイヤモンドの製造方法である。
【００７０】
＜実施形態８  発明の構成＞
本実施形態における発明は、ガードルをテーブルファセット中心からキューレット面中心をとおる中心軸に対してクラウンよりも内側に０．１度以上４５度（ただし、パビリオン面が前記中心軸となす角よりも小さい角度に限定）以下傾斜したガードルファセットによって構成し、テーブルファセットから入射しパビリオン側ファセットで反射した光束の全反射をガードルにて増加させたガードルファセットをダイヤモンド原石又は他のカットにてデザインされたダイヤモンドを研削形成する。
【００７１】
＜実施形態９＞
＜実施形態９  発明の概要＞
本実施形態における発明は、実施形態７又は実施形態８の特徴に加えて、ガードルファセットの幅がキューレット面とテーブルファセット間の高さの差に対する割合によって限定されたダイヤモンドの製造方法である。
【００７２】
＜実施形態９  発明の構成＞
本実施形態における発明は、実施形態７又は実施形態８に記載の構成に加えて、前記ガードルファセットの幅が、キューレット面とテーブルファセット間の高さに対して０．２％以上１０％以下であるようにダイヤモンド原石又は他のカットにてデザインされたダイヤモンドを研削形成する。
【００７３】
＜実施形態１０＞
＜実施形態１０  発明の概要＞
本実施形態における発明は、実施形態７から実施形態９までの特徴に加えて、クラウンにあるテーブルファセットを除く各ファセットは、テーブルファセット正面視にて前記中心軸に対して非点対称に配置されているダイヤモンドの製造方法である。
【００７４】
＜実施形態１０  発明の構成＞
本実施形態における発明は、実施形態７又は実施形態９に記載の構成に加えて、クラウンのテーブルファセットを除く各ファセットが、テーブルファセット正面視にて前記中心軸に対して非点対称に配置されるようにダイヤモンド原石又は他のカットにてデザインされたダイヤモンドを研削形成する。
【００７５】
＜実施形態１１＞
＜実施形態１１  発明の概要＞
本実施形態における発明は、実施形態７から実施形態１０に記載の特徴に加えて、ラウンドカットで施すカット面数の数をクラウン５５面、パビリオン３３面の総面数８８面と特定したダイヤモンドの製造方法である。
【００７６】
＜実施形態１１  発明の構成＞
本実施形態における発明の構成は、実施形態７から実施形態１０のいずれかに記載の構成に加えて、テーブルファセットは、９角形であり、前記ガードルファセットを除くクラウンを構成するファセット数は、テーブルファセットを除いて５４面であり、パビリオンを構成するファセット数は、前記ガードルファセットを除きキューレットを面として数えないで３２面であり、ファセット総数がテーブルファセットと、ガードルファセットを含む８８面であるようにダイヤモンド原石又は他のカットにてデザインされたダイヤモンドを研削形成する。
【００７７】
＜実施形態１２＞
＜実施形態１２  発明の概要＞
本実施形態における発明は、実施形態７から実施形態１０に記載の特徴に加えて、ラウンドカットで施すカット面数の数をクラウン３７面、パビリオン２６面、総面数６３面と特定するダイヤモンドの製造方法である。
【００７８】
＜実施形態１２  発明の構成＞
本実施形態における発明は、実施形態７から実施形態１０のいずれかに記載の特徴に加えて、テーブルファセットは、９角形であり、前記ガードルファセットを除くクラウンを構成するファセット数は、テーブルファセットを除いて３６面であり、パビリオンを構成するファセット数は、前記ガードルファセットを除きキューレットを面として数えて２５面であり、ファセット総数がテーブルファセットと、ガードルファセットを含む６３面であるようにダイヤモンド原石又は他のカットにてデザインされたダイヤモンドを研削形成する。
【符号の説明】
【００７９】
０１０１  テーブルファセット
０１０２  クラウン
０１０３  パビリオン
０１０４  クラウン側ファセット
０１０５  ガードルファセット
０１０６  キューレット（面）
０１０７  パビリオン側ファセット
０１０８  クラウン最下縁
【図１】
2020073295.tif 000003
【図２】
2020073295.tif 000004
【図３】
2020073295.tif 000005
【図４】
2020073295.tif 000006
【図５】
2020073295.tif 000007
【図６】
2020073295.tif 000008
【図７】
2020073295.tif 000009
【図８】
2020073295.tif 000010
【図９ａ】
2020073295.tif 000011
【図９ｂ】
2020073295.tif 000012
【図１０】
2020073295.tif 000013
【図１１】
2020073295.tif 000014
【図１２】
2020073295.tif 000015
【図１３】
2020073295.tif 000016
【図１４】
2020073295.tif 000017
【図１５】
2020073295.tif 000018
【図１６】
2020073295.tif 000019
【手続補正書】
【提出日】令和1年12月6日(2019.12.6)
【手続補正１】
【補正対象書類名】特許請求の範囲
【補正対象項目名】全文
【補正方法】変更
【補正の内容】
【特許請求の範囲】
【請求項１】
ガードルをテーブルファセット中心からキューレット面中心をとおる中心軸に対してクラウン最下縁よりも外側に０．１度以上４５度（ただし、クラウン面が前記中心軸となす角よりも小さい角度に限定）以下傾斜したガードルファセットによって構成し、テーブルファセットから入射しパビリオン側ファセットで反射した光束の全反射をガードルにて低減させたガードルファセットを有するラウンドカットダイヤモンドであって、クラウンのファセットは、テーブルファセットを構成する９角形の一辺を自身の１片とする三角形の第一ファセット９個と、テーブルファセットを構成する９角形の頂点を自身の頂点として、その他の部分ではテーブルファセットと接触しない四角形の第二ファセット９個と、前記第二ファセットの一辺を自身の一辺とする三角形の第三ファセット１８個とから構成され、テーブルファセットの９角形のある頂点から前記中心軸と交わるように直線を引いた場合に、その直線が第一から第三までの全てのファセットの頂点を通過するように構成されているラウンドカットダイヤモンド。
【請求項２】
ガードルをテーブルファセット中心からキューレット面中心をとおる中心軸に対してクラウン最下縁よりも内側に０．１度以上４５度（ただし、パビリオン面が前記中心軸となす角よりも小さい角度に限定）以下傾斜したガードルファセットによって構成し、テーブルファセットから入射しパビリオン側ファセットで反射した光束の全反射をガードルにて増加させたガードルファセットを有するラウンドカットダイヤモンドであって、クラウンのファセットは、テーブルファセットを構成する９角形の一辺を自身の１片とする三角形の第一ファセット９個と、テーブルファセットを構成する９角形の頂点を自身の頂点として、その他の部分ではテーブルファセットと接触しない四角形の第二ファセット９個と、前記第二ファセットの一辺を自身の一辺とする三角形の第三ファセット１８個とから構成され、テーブルファセットの９角形のある頂点から前記中心軸と交わるように直線を引いた場合に、その直線が第一から第三までの全てのファセットの頂点を通過するように構成されているラウンドカットダイヤモンド。
【請求項３】
前記ガードルファセットの幅は、キューレット面とテーブルファセット間の高さに対して０．２％以上１０％以下である請求項１又は請求項２に記載のラウンドダイヤモンド。
【請求項４】
クラウンのテーブルファセットを除く各ファセットは、テーブルファセット正面視にて前記中心軸に対して非点対称に配置され、パビリオンのキューレットを除く各ファセットは前記中心軸に対して点対称に配置される請求項１から請求項３のいずれか一に記載のラウンドカットダイヤモンド。
【請求項５】
テーブルファセットは、９角形であり、前記ガードルファセットを除くクラウンを構成するファセット数は、テーブルファセットを除いて５４面であり、パビリオンを構成するファセット数は、前記ガードルファセットを除きキューレットを面として数えないで３２面であり、ファセット総数がテーブルファセットと、ガードルファセットを含む８８面である請求項１から請求項４のいずれか一に記載のラウンドカットダイヤモンド。
【請求項６】
テーブルファセットは、９角形であり、前記ガードルファセットを除くクラウンを構成するファセット数は、テーブルファセットを除いて３６面であり、パビリオンを構成するファセット数は、前記ガードルファセットを除きキューレットを面として数えて２５面であり、ファセット総数がテーブルファセットと、ガードルファセットを含む６３面である請求項１から請求項４のいずれか一に記載のラウンドカットダイヤモンド。
【請求項７】
ガードルをテーブルファセット中心からキューレット面中心をとおる中心軸に対してクラウンよりも外側に０．１度以上４５度（ただし、クラウン面が前記中心軸となす角よりも小さい角度に限定）以下傾斜したガードルファセットによって構成し、テーブルファセットから入射しパビリオン側ファセットで反射した光束の全反射をガードルにて低減させたガードルファセットをダイヤモンド原石又は他のカットにてデザインされたダイヤモンドを研削形成するラウンドカットダイヤモンドの製造方法であって、クラウンのファセットは、テーブルファセットを構成する９角形の一辺を自身の１片とする三角形の第一ファセット９個と、テーブルファセットを構成する９角形の頂点を自身の頂点として、その他の部分ではテーブルファセットと接触しない四角形の第二ファセット９個と、前記第二ファセットの一辺を自身の一辺とする三角形の第三ファセット１８個とから構成され、テーブルファセットの９角形のある頂点から前記中心軸と交わるように直線を引いた場合に、その直線が第一から第三までの全てのファセットの頂点を通過するようにダイヤモンドを研削形成するラウンドカットダイヤモンドの製造方法。
【請求項８】
ガードルをテーブルファセット中心からキューレット面中心をとおる中心軸に対してクラウンよりも内側に０．１度以上４５度（ただし、パビリオン面が前記中心軸となす角よりも小さい角度に限定）以下傾斜したガードルファセットによって構成し、テーブルファセットから入射しパビリオン側ファセットで反射した光束の全反射をガードルにて増加させたガードルファセットをダイヤモンド原石又は他のカットにてデザインされたダイヤモンドを研削形成するラウンドカットダイヤモンドの製造方法であって、クラウンのファセットは、テーブルファセットを構成する９角形の一辺を自身の１片とする三角形の第一ファセット９個と、テーブルファセットを構成する９角形の頂点を自身の頂点として、その他の部分ではテーブルファセットと接触しない四角形の第二ファセット９個と、前記第二ファセットの一辺を自身の一辺とする三角形の第三ファセット１８個とから構成され、テーブルファセットの９角形のある頂点から前記中心軸と交わるように直線を引いた場合に、その直線が第一から第三までの全てのファセットの頂点を通過するようにダイヤモンドを研削形成するラウンドカットダイヤモンドの製造方法。
【請求項９】
前記ガードルファセットの幅は、キューレット面とテーブルファセット間の高さに対して０．２％以上１０％以下であるようにダイヤモンド原石又は他のカットにてデザインされたダイヤモンドを研削形成する請求項７又は請求項８に記載のラウンドカットダイヤモンドの製造方法。
【請求項１０】
クラウンのテーブルファセットを除く各ファセットは、テーブルファセット正面視にて前記中心軸に対して非点対称に配置されるようにダイヤモンド原石又は他のカットにてデザインされたダイヤモンドを研削形成する請求項７から請求項９のいずれか一に記載のラウンドカットダイヤモンドの製造方法。
【請求項１１】
テーブルファセットは、９角形であり、前記ガードルファセットを除くクラウンを構成するファセット数は、テーブルファセットを除いて５４面であり、パビリオンを構成するファセット数は、前記ガードルファセットを除きキューレットを面として数えないで３２面であり、ファセット総数がテーブルファセットと、ガードルファセットを含む８８面であるようにダイヤモンド原石又は他のカットにてデザインされたダイヤモンドを研削形成する請求項７から請求項１０のいずれか一に記載のラウンドカットダイヤモンドの製造方法。
【請求項１２】
テーブルファセットは、９角形であり、前記ガードルファセットを除くクラウンを構成するファセット数は、テーブルファセットを除いて３６面であり、パビリオンを構成するファセット数は、前記ガードルファセットを除きキューレットを面として数えて２５面であり、ファセット総数がテーブルファセットと、ガードルファセットを含む６３面であるようにダイヤモンド原石又は他のカットにてデザインされたダイヤモンドを研削形成する請求項７から請求項１０のいずれか一に記載のラウンドカットダイヤモンドの製造方法。